(57)【要約】【課題】中綴じ冊子の綴じ針の先端部の浮きを防止する。【解決手段】中央部に折り目部が形成され、折り目部に沿って綴じ針が打ち込まれた中綴じ冊子に用紙処理する用紙処理装置において、中綴じ冊子の折り目部の内面を支持するリフター板３４３と、中綴じ冊子を紙面に対して両側から挟持する挟持部材３４１と、リフター板３４３に支持されるとともに挟持部材３４１に挟持された中綴じ冊子の折り目部を押し潰すローラー３５３と、を備え、リフター板３４３は、中綴じ冊子の折り目部を支持した際に、折り目部に打ち込まれた綴じ針と対向する。【選択図】図６
2015178399.tif 000002
【特許請求の範囲】
【請求項１】
中央部に折り目部が形成され、前記折り目部に沿って綴じ針が打ち込まれた冊子に用紙処理する用紙処理装置において、
前記冊子の前記折り目部の内面を支持する支持部と、
前記冊子を紙面に対して両側から挟持する挟持部と、
前記支持部に支持されるとともに前記挟持部に挟持された前記冊子の前記折り目部を押し潰す押圧部と、
を備え、
前記支持部は、前記冊子の前記折り目部を支持した際に、前記折り目部に打ち込まれた綴じ針と対向することを特徴とする用紙処理装置。
【請求項２】
前記冊子の前記折り目部には、少なくとも２つの綴じ針が打ち込まれ、
前記支持部は、前記冊子の前記折り目部の両端部をそれぞれ支持する２つの支持部材を備え、
前記２つの支持部材の先端部同士の間隙は、綴じ針同士の間隙以下であることを特徴とする請求項１に記載の用紙処理装置。
【請求項３】
前記支持部において、前記冊子の前記折り目部を支持した際に前記折り目部に対向する部分は、凹部形状となっていることを特徴とする請求項１又は２に記載の用紙処理装置。
【請求項４】
前記支持部は、前記冊子の前記折り目部の内面を下方から支持し、
前記押圧部は、前記冊子の前記折り目部を上方から押し潰すことを特徴とする請求項１〜３の何れか一項に記載の用紙処理装置。
【請求項５】
用紙に対して画像を形成する画像形成装置と、
前記画像形成装置に接続され、前記画像形成装置により画像が形成された後に中央部に折り目を形成する中折り部及び前記折り目部に沿って綴じ針を打ち込む中綴じ部を備え、綴じ針が打ち込まれた冊子を用紙処理する請求項１〜４の何れか一項に記載の用紙処理装置と、
を備えたことを特徴とする画像形成システム。
【発明の詳細な説明】
【技術分野】
【０００１】
本発明は、用紙処理装置及び画像形成システムに関する。
【背景技術】
【０００２】
従来、用紙束に折り処理及び綴じ処理を行って中綴じ製本する用紙処理装置が知られている。
このような用紙処理装置においては、綴じ処理により中綴じ冊子を形成した後、中綴じ冊子の開きを防止するための増し折り処理や、中綴じ冊子の背側を潰す角背成形処理（例えば、特許文献１参照）等を更に行う場合がある。
【先行技術文献】
【特許文献】
【０００３】
【特許文献１】特開２０１１−１１９１２号公報
【発明の概要】
【発明が解決しようとする課題】
【０００４】
しかしながら、上記したような中綴じ冊子の綴じ部に圧力を掛ける処理では、図１０に示すように、綴じ部の厚さが増大することで、綴じ針の先端部が冊子表面（内面）から浮く現象が生じる場合がある。綴じ針の先端部が浮いた冊子では、見開き状態とした際に見栄えが悪く、また、綴じ部が緩くなって用紙が離脱してしまう恐れがあるという問題があった。
【０００５】
本発明の課題は、中綴じ冊子の綴じ針の先端部の浮きを防止することのできる用紙処理装置及び画像形成システムを提供することである。
【課題を解決するための手段】
【０００６】
上記課題を解決するため、本発明の一態様によれば、
中央部に折り目部が形成され、前記折り目部に沿って綴じ針が打ち込まれた冊子に用紙処理する用紙処理装置において、
前記冊子の前記折り目部の内面を支持する支持部と、
前記冊子を紙面に対して両側から挟持する挟持部と、
前記支持部に支持されるとともに前記挟持部に挟持された前記冊子の前記折り目部を押し潰す押圧部と、
を備え、
前記支持部は、前記冊子の前記折り目部を支持した際に、前記折り目部に打ち込まれた綴じ針と対向することを特徴とする。
【０００７】
また、本発明の他の態様によれば、
画像形成システムにおいて、
用紙に対して画像を形成する画像形成装置と、
前記画像形成装置に接続され、前記画像形成装置により画像が形成された後に中央部に折り目を形成する中折り部及び前記折り目部に沿って綴じ針を打ち込む中綴じ部を備え、綴じ針が打ち込まれた冊子を用紙処理する前記した用紙処理装置と、
を備えたことを特徴とする。
【発明の効果】
【０００８】
本発明によれば、中綴じ冊子の綴じ針の先端部の浮きを防止することができる。
【図面の簡単な説明】
【０００９】
【図１】画像形成システムの全体構成を示す概略模式図である。
【図２】クランプ部及び角背成形部の構成の一例を示す図である。
【図３】クランプ部の動作を説明するための模式図である。
【図４】クランプ部の動作を説明するための模式図である。
【図５】クランプ部の動作を説明するための模式図である。
【図６】角背成形部の動作を説明するための模式図である。
【図７】角背成形部の動作を説明するための模式図である。
【図８】画像形成システムの動作制御に係る主要構成を示すブロック図である。
【図９】クランプ部及び角背成形部の一連の動作を説明するためのフローチャートである。
【図１０】従来の問題点を説明するための図である。
【発明を実施するための形態】
【００１０】
以下、図面を参照して本発明の一実施形態である画像形成システム１について説明する。
【００１１】
図１は、画像形成システム１の全体構成を示す概略模式図である。
図１に示すように、画像形成システム１は、画像形成装置１００と、中間搬送装置２００と、用紙処理装置３００と、平綴じ処理装置４００と、を有している。
なお、以下の説明において、鉛直方向をＺ方向とし、図１に示す画像形成装置１００、中間搬送装置２００、用紙処理装置３００、及び平綴じ処理装置４００が互いに接続される方向に沿う方向をＸ方向とし、Ｘ方向及びＺ方向に直交する方向をＹ方向とする。
また、Ｘ方向について前側及び後側を付して説明し、Ｙ方向について右側及び左側を付して説明する。ここで、前側は、画像形成システム１における搬送方向の上流側であり、後側は、その下流側である。また、右側は、用紙処理装置３００の中折り・中綴じ処理における搬送方向の上流側であり、左側は、その下流側である。
【００１２】
画像形成装置１００は、用紙に画像を形成する。
具体的には、画像形成装置１００は、例えば、記録媒体として備蓄された用紙を用紙トレイから引き出して搬送する搬送部、ビットマップデータに応じたトナー像を転写ローラー等の一次転写部材に現像する現像部、一次転写部材に現像されたトナー像を転写ドラム１５０等の二次転写部材に転写する一次転写部、二次転写部材に転写されたトナー像を搬送部により搬送される用紙に転写する二次転写部、転写されたトナー像を用紙に定着させる定着部、及び定着部による定着処理後の用紙を排出する排出部等を備え、用紙に画像を形成する。
また、画像形成装置１００は、画像が形成されて排出される用紙を中間搬送装置２００に受け渡す。即ち、画像形成システム１は、画像形成装置１００から排出される用紙が中間搬送装置２００に受け渡されるよう接続されている。
【００１３】
中間搬送装置２００は、用紙を一時的に待機させると共に、用紙に対して筋付け及び断裁を施すことの可能な装置である。
具体的には、中間搬送装置２００は、例えば、画像形成装置１００から搬送された用紙を下降させるように搬送して用紙の紙面をＺ方向にほぼ沿わせた状態で一旦停止させて待機させる待機部（スタッカー）、待機中の用紙の位置を整合する整合部、整合された用紙に筋付けを行う筋付け部（クリーサー）、及び筋付けが施された用紙を搬送しながら当該用紙の余白部分を断裁する断裁部（スリッター）等を備える。
即ち、中間搬送装置２００は、画像形成装置１００から受け渡された用紙を待機部において一旦停止させた状態で整合部により整合を行い、次いで筋付け部により筋付け処理を行った後、筋付けが施された用紙を搬送しながら当該用紙の余白部分を断裁部により断裁する。その後、中間搬送装置２００は、断裁部により余白部分の断裁された用紙を用紙処理装置３００に受け渡す。
なお、中間搬送装置２００は、画像形成装置１００から受け渡された用紙に対して、中間搬送装置２００による各種の処理の一部又は全部を施さずに用紙処理装置３００に受け渡すこともできる。
【００１４】
用紙処理装置３００は、用紙を中折り（二つ折り）にする中折り処理、中折りされた用紙を所定枚数重ね合わせて綴じることにより中綴じ冊子を作成する中綴じ処理、中綴じ冊子の背表紙を角背成形する角背成形処理等を行う装置である。
具体的には、用紙処理装置３００は、例えば、中間搬送装置２００から受け渡された用紙をＹ方向に沿って中折りする中折り部３１０、中折り部３１０により中折りされた用紙を重ね合わせ、打針して中綴じ冊子とする中綴じ部３２０、中綴じ部３２０により中綴じされた中綴じ冊子を受け取って、水平面内を折り目部と直交する方向（Ｘ方向）に搬送する用紙搬送機構３３０、用紙搬送機構３３０により搬送された中綴じ冊子の折り目部近傍を挟持して保持するクランプ部３４０、中綴じ冊子の背表紙の角背成形処理を行う角背成形部３５０、及び中綴じ冊子を外部に排出する排出部３６０等を備える。
なお、かかる用紙処理装置３００は、中間搬送装置２００から受け渡された用紙に対して、用紙処理装置３００による各種の処理の一部又は全部を施さずに平綴じ処理装置４００に受け渡すこともできる。また、用紙処理装置３００は、さらに、中綴じ冊子の小口端部を断裁する断裁部等を備えていてもよい。
【００１５】
中折り部３１０は、例えば、一対の中折りローラー３１１、３１１と、一対の中折りローラー３１１、３１１の下方に位置し、一対の中折りローラー３１１、３１１の間に進入するように動作可能なＹ−Ｚ平面に沿うよう配設された板状の折りナイフ３１２と、を備えている。
画像形成装置１００から受け渡された用紙は、当該用紙のＸ方向の中央部が折りナイフに３１２対向することとなる位置まで搬送される。すると、折りナイフ３１２は、一対の中折りローラー３１１、３１１の間に進入し、用紙をニップ部に押し込む動作を行う。これにより、用紙は、折りナイフ３１２との当接位置においてＹ方向に沿った折り目部が形成された状態に中折りされる。即ち、用紙は、折り目部が上側でその両端の小口が下側となる所謂山折り形状（山形の用紙）となる。
中折りされた用紙は、図示しない搬送部により折り目部に沿った方向（Ｙ方向）に搬送され、中綴じ部３２０に到達する。
【００１６】
中綴じ部３２０は、中折り部３１０から搬送されてきた用紙を重ね合わせて集積する鞍掛け部３２１、鞍掛け部３２１の上方に設けられた打針部３２２、及び鞍掛け部３２１の内部に設けられた受針部３２３等を備えている。
鞍掛け部３２１上に所定枚数の用紙が集積されると、その用紙束の折り目部上に打針部３２２及び受針部３２３の協働により綴じ針が打ち込まれ、中綴じ冊子が形成される。
用紙の折り目部に対して打ち込む綴じ針の数や、綴じ針を打ち込む位置（綴じ位置）は、予め設定されている。本実施形態においては、打ち込む綴じ針の数は２つであるものとして説明する。
形成された中綴じ冊子は、鞍掛け部３２１の右端部（搬送方向上流側の端部）に備えられた整合部（図示省略）により下流側の用紙搬送機構３３０に押し出される。
【００１７】
用紙搬送機構３３０は、Ｙ−Ｚ平面に沿うよう配設された板状の移動鞍３３１を有し、Ｘ方向に往復移動可能な移動ユニット３３２を備えている。
中綴じ部３２０から押し出されてきた中綴じ冊子は、移動鞍３３１により、その折り目部（綴じ部分）が下から支持される。移動ユニット３３２は、移動鞍３３１に中綴じ冊子が支持されると、Ｘ方向の後方から前方に向かって移動し、中綴じ冊子をクランプ部３４０に受け渡す。
【００１８】
図２は、用紙処理装置３００のクランプ部３４０の構成の一例を示す図である。また、図３〜図５は、クランプ部３４０の動作を説明するための模式図であり、用紙搬送機構３３０によりクランプ部３４０に搬送されてきた中綴じ冊子を後方から見た状態を示している。
【００１９】
図２に示すように、クランプ部３４０は、Ｚ方向に沿って設けられたガイドレールＬに沿って昇降可能であって、Ｘ方向において互いに接近又は離間する方向に移動可能な２つの挟持部材（挟持部）３４１，３４２と、リフター板（支持部）３４３とを備えている。
【００２０】
図３〜図５に示すように、２つの挟持部材３４１，３４２は、例えば、左右方向（Ｙ方向）に延在するよう配された長尺な板体等からなる。なお、図３〜図５においては、前側の挟持部３４２の図示を省略している。
中綴じ冊子が移動鞍３３１に支持されて搬送されてくると、クランプ部３４０全体がガイドレールＬに沿って下降し、２つの挟持部材３４１，３４２が中綴じ冊子の折り目部近傍を挟持可能な位置に位置決めされる。
その後、リフター板３４３が、中綴じ冊子を下方から支持すると、２つの挟持部材３４１，３４２は接近し、中綴じ冊子の折り目部近傍を、中綴じ冊子の開きを抑える程度（半クランプ状態）に挟持する。
また、リフター板３４３が、中綴じ冊子を所定位置まで吊り上げると、２つの挟持部材３４１，３４２は更に接近し、中綴じ冊子の折り目部近傍を、中綴じ冊子を保持可能な程度（完全クランプ状態）に挟持する。
なお、２つの挟持部材３４１，３４２により中綴じ冊子が完全クランプされた後、移動ユニット３３２は後方に退避する。
【００２１】
図３〜図５に示すように、リフター板３４３は、２つの支持部材３４３ａ，３４３ｂを備えている。
２つの支持部材３４３ａ，３４３ｂは、２つの挟持部材３４１，３４２のＸ方向の中央部で、Ｙ方向において挟持部３４１（３４２）の左方及び右方となる位置にそれぞれ配される。
図３に示すように、２つの支持部材３４３ａ，３４３ｂは、駆動部Ｍ１（図８参照）の駆動によりそれぞれ軸部Ｐ１，Ｐ２を支点として垂直状態から水平状態に回動し、これにより、図４に示すように、中綴じ冊子の折り目部をそれぞれ左右の下方から支持する。
【００２２】
ここで、２つの支持部材３４３ａ，３４３ｂは、中綴じ冊子の折り目部を支持した状態（水平状態）において、その先端部同士の間隙Ｈ１が、２つの綴じ針の間隙（ステープルピッチ）の最小設定値Ｈ２以下の値となる。つまり、中綴じ冊子をリフター板３４３にて支持した際、２つの綴じ針には必ず支持部材３４３ａ，３４３ｂが対向する状態となる。
また、２つの支持部材３４３ａ，３４３ｂの、中綴じ冊子の折り目部を支持した際に（水平状態となった際に）折り目部に対向する部分は、凹部形状３４３ｃとなっている（図７参照）。なお、凹部形状３４３ｃとは、例えば、断面視半円形状、断面視Ｖ字形状等である。
【００２３】
また、図５に示すように、２つの挟持部材３４１，３４２が中綴じ冊子の折り目部近傍を半クランプ状態に挟持した後、２つの支持部材３４３ａ，３４３ｂは、駆動部Ｍ１（図８参照）の駆動により水平状態を維持したまま上方の所定位置まで移動する。これにより、中綴じ冊子は、２つの挟持部材３４１，３４２に擦動するように持ち上げられ、角背形成処理による押し潰し幅が確保される。
【００２４】
図６、７は、角背成形部３５０の動作を説明するための模式図である。図６は、角背成形処理前の中綴じ冊子を後方から見た状態を示しており、図７は、角背成形処理前の中綴じ冊子の折り目部近傍を左方から見た状態を示している。
【００２５】
角背成形部３５０は、クランプ部３４０に搭載されており、保持板３５１、３５２、及びローラー（押圧部）３５３等を備えている（図２参照）。
【００２６】
保持板３５１、３５２は、クランプ部３４０の２つの挟持部材３４１，３４２の上方に位置している。
保持板３５１、３５２は、リフター板３４３（２つの支持部材３４３ａ，３４３ｂ）により中綴じ冊子が所定位置まで吊り上げられ、２つの挟持部材３４１，３４２が完全クランプ状態に中綴じ冊子を挟持した後、図６に示すように、中綴じ冊子における２つの挟持部材３４１，３４２の挟持位置より上方の折り目部近傍を挟持する。なお、図６においては、前側の挟持部材３４２、及び前側の保持板３５２の図示を省略している。
【００２７】
ローラー３５３は、中綴じ冊子の折り目部に上方から所定の圧力を掛けつつＹ方向に往復移動する。このとき、図７に示すように、綴じ針の先端部が凹部形状３４３ｃの内側に当接するようになっている。これにより、挟持された中綴じ冊子の折り目部が平らになるよう押し潰され、折り目部が角型形状に成形される。
【００２８】
排出部３６０は、クランプ部３４０の上方に位置する。排出部３６０は、用紙処理装置３００の上面に配置された積載部と、クランプ部３４０から中綴じ冊子を受け取って積載部に排出する方向転換部とを備え、垂直な状態で下方から上方に搬送されてきた中綴じ冊子は、排出部３６０の方向転換部により略水平な姿勢に方向転換され、積載部上に順次重ねられるように排出される。
【００２９】
図１に戻り、平綴じ処理装置４００は、複数の用紙の平綴じ処理等を行う。
具体的には、平綴じ処理装置４００は、例えば、用紙処理装置３００から受け渡された複数の用紙にステープル処理を施すステープル処理部、ステープル処理が施された複数の用紙のうち背表紙と平行な端部を揃えるために当該端部の一部を切り落とす小口断裁を行うページ端断裁部、及び連結された各装置による処理後の用紙を排出する排出部等を備える。
なお、平綴じ処理装置４００は、用紙処理装置３００から受け渡された用紙に対して、平綴じ処理装置４００による各種の処理の一部又は全部を施さずに排出することもできる。
【００３０】
次に、画像形成システム１の動作制御について説明する。
図８は、画像形成システム１の動作制御に係る主要構成を示すブロック図である。
【００３１】
画像形成システム１は、画像形成システム１の動作に係るユーザーの入力操作を受け付け、画像形成システム１の動作に係る表示出力を行う操作表示部５０１、画像形成システム１全体の動作制御を行う中央制御部５０２、画像形成装置１００の動作制御を行う画像形成制御部５０３、中間搬送装置２００の動作制御を行う中間搬送制御部５０４、用紙処理装置３００の動作制御を行う用紙処理制御部（制御部）５０５、及び平綴じ処理装置４００の動作制御を行う平綴じ処理制御部５０６を有する。
【００３２】
操作表示部５０１は、例えば、タッチパネル方式の操作表示装置や各種の入力のためのスイッチ、キー等を有し、ユーザーの入力内容に応じた信号を中央制御部５０２に送信する。
中央制御部５０２、画像形成制御部５０３、中間搬送制御部５０４、用紙処理制御部５０５、及び平綴じ処理制御部５０６はそれぞれ、ＣＰＵ(Central Processing Unit)、ＲＡＭ(Random Access Memory)、ＲＯＭ(Read Only Memory)等を有し、処理内容に応じたソフトウェア・プログラムや各種のデータを読み出して実行処理する。
【００３３】
中央制御部５０２は、操作表示部５０１を介して入力されたユーザーの入力内容に応じて、画像形成システム１に係る各種の条件の設定を行う。
この設定条件には、例えば、用紙のサイズや画像形成時の色数（例えば、カラー・グレースケール・モノクロ等）、中綴じ処理される一部の用紙の枚数、中綴じ処理を行う用紙の種類、サイズ、坪量、中綴じ処理において用紙の折り目部に対して打ち込む綴じ針の数、綴じ針を打ち込む位置（綴じ位置）、中綴じ冊子の折り目部の角背成形処理の実施／非実施等が含まれる。
そして、中央制御部５０２は、画像形成制御部５０３、中間搬送制御部５０４、用紙処理制御部５０５、及び平綴じ処理制御部５０６の各制御部に対して設定内容に応じた処理を施すための命令を出力する。各制御部は、命令に応じてそれぞれの制御対象である装置の動作を制御する。
【００３４】
例えば、中央制御部５０２は、用紙処理制御部５０５に対して中折り処理、中綴じ処理、角背成形処理等を施すための命令を出力する。
用紙処理制御部５０５は、これに応じて、中折り部３１０、中綴じ部３２０、用紙搬送機構３３０、クランプ部３４０、及び角背成形部３５０を制御し、各処理を行う。
【００３５】
ここで、本実施形態における、クランプ部３４０及び角背成形部３５０の一連の動作について、図９のフローチャートを参照しつつ説明する。
かかる動作は、中央制御部５０２の出力した命令による用紙処理制御部５０５の制御によって実行されるものである。
【００３６】
先ず、ステップＳ１において、用紙処理制御部５０５は、中綴じ冊子をリフター板３４３により支持する。
具体的に、用紙処理制御部５０５は、２つの挟持部材３４１，３４２が中綴じ冊子の折り目部近傍を挟持可能となるよう位置決めした後、駆動部Ｍ１を制御して、リフター板３４３の２つの支持部材３４３ａ，３４３ｂを垂直状態から水平状態に回動させる。
これにより、リフター板３４３の２つの支持部材３４３ａ，３４３ｂは、中綴じ冊子の折り目部を下方から支持することとなる（図３、４参照）。
また、中綴じ冊子の折り目部に打ち込まれた２つの綴じ針に、２つの支持部材３４３ａ，３４３ｂが対向した状態となる（図４参照）。
【００３７】
次いで、ステップＳ２において、用紙処理制御部５０５は、中綴じ冊子をリフター板３４３により所定位置まで吊り上げる。
具体的に、用紙処理制御部５０５は、２つの挟持部材３４１，３４２を接近させる方向に移動させ、中綴じ冊子を半クランプ状態に挟持した後、駆動部Ｍ１を制御して、リフター板３４３の２つの支持部材３４３ａ，３４３ｂを所定距離上方に移動させる。
これにより、中綴じ冊子は、２つの挟持部材３４１，３４２に擦動するように持ち上げられ、角背形成処理による押し潰し幅が確保される（図５参照）。
【００３８】
次いで、ステップＳ３において、用紙処理制御部５０５は、中綴じ冊子を挟持して、角背形成処理を実行し、本処理を終了する
具体的に、用紙処理制御部５０５は、２つの挟持部材３４１，３４２を更に接近させる方向に移動させ、中綴じ冊子を完全クランプ状態に挟持する。
次いで、用紙処理制御部５０５は、保持板３５１、３５２により、中綴じ冊子における２つの挟持部材３４１，３４２の挟持位置より上方の折り目部近傍を挟持する。
次いで、用紙処理制御部５０５は、ローラー３５３を中綴じ冊子の折り目部に圧力をかけつつ往復移動させる（図６参照）。
これにより、中綴じ冊子の折り目部近傍が強固に挟持された状態で、中綴じ冊子の折り目部が平らになるよう押し潰され、角背が形成される。
このとき、中綴じ冊子の折り目部に打ち込まれた２つの綴じ針は、２つの支持部材３４３ａ，３４３ｂが対向した状態となっているため、ローラー３５３で圧力を掛けた際に綴じ針の先端部が２つの支持部材３４３ａ，３４３ｂに押し付けられるので、綴じ針の先端部が浮き上がるのが防止される。
また、２つの支持部材３４３ａ，３４３ｂの折り目部に対向する部分は、凹部形状３４３ｃとなっているため、ローラー３５３で圧力を掛けた際に綴じ針の先端部が凹部形状３４３ｃの内側に入り込むので、綴じ針の先端部が２つの支持部材３４３ａ，３４３ｂから外れるのが防止される。
【００３９】
以上のように、本実施形態によれば、中央部に折り目部が形成され、折り目部に沿って綴じ針が打ち込まれた中綴じ冊子に用紙処理する用紙処理装置３００において、中綴じ冊子の折り目部の内面を支持するリフター板３４３と、中綴じ冊子を紙面に対して両側から挟持する挟持部材３４１，３４２と、リフター板３４３に支持されるとともに挟持部材３４１，３４２に挟持された中綴じ冊子の折り目部を押し潰すローラー３５３と、を備え、リフター板３４３は、中綴じ冊子の折り目部を支持した際に、折り目部に打ち込まれた綴じ針と対向する。
このため、ローラー３５３で折り目部を押し潰した際に、綴じ針がローラー３５３とリフター板３４３により挟まれることとなるので、中綴じ冊子の綴じ針の先端部の浮きを防止することができる。よって、見開き状態とした際に見栄えを損なうことなく、また、綴じ部が緩くなって紙が離脱してしまうのを防止することができる。
【００４０】
また、本実施形態によれば、用紙の折り目部には、中綴じ冊子の折り目部には、２つの綴じ針が打ち込まれ、リフター板３４３は、中綴じ冊子の折り目部の両端部をそれぞれ支持する２つの支持部材３４３ａ，３４３ｂを備え、２つの支持部材３４３ａ，３４３ｂの先端部同士の間隙Ｈ１は、綴じ針同士の間隙Ｈ２以下である。
このため、中綴じ冊子の左右から２つの支持部材３４３ａ，３４３ｂを差し込んで冊子を支持することができるので、長尺な一つの支持部材とした場合と比較して装置構成を小型化することができる。
【００４１】
また、本実施形態によれば、リフター板３４３において、中綴じ冊子の折り目部を支持した際に折り目部に対向する部分は、凹部形状３４３ｃとなっている。
このため、折り目部を押し潰した際に、綴じ針の先端部がリフター板３４３から外れるのを防止することができる。
【００４２】
また、本実施形態によれば、リフター板３４３は、中綴じ冊子の折り目部の内面を下方から支持し、ローラー３５３は、中綴じ冊子の折り目部を上方から押し潰す。
このため、中綴じ冊子を、折り目部が上方で小口部が下方となる垂直状態に保持して角背成形処理する構成の装置とすることができ、中綴じ冊子を横向きの状態に支持して角背成形処理する構成の装置と比較して、装置を小型化することができる。
【００４３】
なお、上記実施の形態における用紙処理装置３００の各構成要素の細部構成及び細部動作に関しては、本発明の趣旨を逸脱することのない範囲で適宜変更可能であることは勿論である。
【００４４】
例えば、上記実施形態においては、リフター板３４３が２つの支持部材３４３ａ，３４３ｂを備えた構成を例示して説明したが、リフター板３４３は、長尺な１つの支持部材を備えた構成であっても良い。
【００４５】
また、上記実施形態においては、２つの支持部材３４３ａ，３４３ｂにおいて、中綴じ冊子の折り目部を支持した際に折り目部に対向する部分は、凹部形状３４３ｃとなっている構成を例示して説明したが、凹部形状３４３ｃとしない構成であっても良い。
【００４６】
また、上記実施形態においては、綴じ針は２つである場合を例示して説明したが、３つ以上の複数であっても良い。
【００４７】
また、上記実施形態においては、リフター板３４３は、垂直状態の中綴じ冊子の折り目部の内面を下方から支持し、ローラー３５３は、中綴じ冊子の折り目部を上方から押し潰す構成を例示して説明したが、横向きの状態の中綴じ冊子を、折り目部の内面から支持する支持部と、当該中綴じ冊子を上下方向から挟持する挟持部と、このような支持部に支持されるとともに挟持部に挟持された中綴じ冊子の折り目部を押し潰す押圧部と、を備えた構成とすることもできる。
【符号の説明】
【００４８】
１  画像形成システム
１００  画像形成装置
２００  中間搬送装置
３００  用紙処理装置
３１０  中折り部
３２０  中綴じ部
３３０  用紙搬送機構
３４０  クランプ部
３４１，３４２  挟持部材（挟持部）
３４３  リフター板（支持部）
３４３ａ，３４３ｂ  支持部材
３４３ｃ  凹部形状
Ｐ１，Ｐ２  軸部
３５０  角背成形部
３５１，３５２  保持板
３５３  ローラー（押圧部）
３６０  排出部
４００  平綴じ処理装置
Ｍ１  駆動部
５０２  中央制御部
５０５  用紙処理制御部
【図１】
2015178399.tif 000003
【図２】
2015178399.tif 000004
【図３】
2015178399.tif 000005
【図４】
2015178399.tif 000006
【図５】
2015178399.tif 000007
【図６】
2015178399.tif 000008
【図７】
2015178399.tif 000009
【図８】
2015178399.tif 000010
【図９】
2015178399.tif 000011
【図１０】
2015178399.tif 000012